【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
受信信号に含まれる番組と番組送信テーブルとを受信する受信手段と、
前記番組と前記番組に含まれる情報とを記憶媒体に蓄積する蓄積手段と、
前記番組の入手方法を判断する情報入手制御手段と、
前記番組の提示要求の受け付けと前記番組の提示とを行う情報提示手段を有し、
前記情報入手制御手段は、
前記情報提示手段の受け付けた提示要求に対応する番組が、前記蓄積手段に蓄積されている場合には、前記番組を前記情報提示手段に出力し、
前記情報提示手段の受け付けた提示要求に対応する番組が、前記蓄積手段に蓄積されていない場合には、前記番組送信テーブルを参照し、前記提示要求に対応する番組が、前記番組送信テーブルに記載されている場合には、前記番組の蓄積を予約する情報提供装置。
【請求項２】
前記情報入手制御手段は、
受信手段で受信する信号に含まれる番組のうち、提示を要求された番組に加え、将来において提示を要求されるであろう番組の蓄積を予約する請求項１記載の情報提供装置。
【請求項３】
前記番組に含まれる情報は、
受信する番組を選別するために付与されたキーワードを含み、
前記情報入手制御手段は、
少なくとも前記キーワードについてのユーザの興味度合によって、放送される番組の蓄積の予約を判断する請求項２記載の情報提供装置。
【請求項４】
前記情報入手制御手段は、
少なくとも番組入手に要する時間、番組入手に要する費用、情報のサイズのいずれかにより求められる情報受信のためのコストを考慮して、受信する番組の蓄積の予約を判断する請求項２記載の情報提供装置。
【請求項５】
前記情報入手制御手段は、
将来において提示を要求されるであろう番組をあらかじめ入手できないと判断した場合には、情報提示手段にその旨出力する請求項２記載の情報提供装置。
【手続補正２】
【補正対象書類名】明細書
【補正対象項目名】０００９
【補正方法】変更
【補正の内容】
【０００９】
【課題を解決するための手段】
上記課題を解決するために、本発明は第１に、受信信号に含まれる番組と番組送信テーブルとを受信する受信手段と、前記番組と前記番組に含まれる情報とを記憶媒体に蓄積する蓄積手段と、前記番組の入手方法を判断する情報入手制御手段と、前記番組の提示要求の受け付けと前記番組の提示とを行う情報提示手段を有し、前記情報入手制御手段は、前記情報提示手段の受け付けた提示要求に対応する番組が、前記蓄積手段に蓄積されている場合には、前記番組を前記情報提示手段に出力し、前記情報提示手段の受け付けた提示要求に対応する番組が、前記蓄積手段に蓄積されていない場合には、前記番組送信テーブルを参照し、前記提示要求に対応する番組が、前記番組送信テーブルに記載されている場合には、前記番組の蓄積を予約するとしたものである。これにより、番組を要求する側において要求する情報が放送系から得られるものであるか蓄積系から得られるものであるかを意識する必要がないという効果を奏するものである。
【手続補正３】
【補正対象書類名】明細書
【補正対象項目名】００１３
【補正方法】変更
【補正の内容】
【００１３】
【発明の実施の形態】
本発明の請求項１に記載の発明は、情報提供装置として、受信信号に含まれる番組と番組送信テーブルとを受信する受信手段と、前記番組と前記番組に含まれる情報とを記憶媒体に蓄積する蓄積手段と、前記番組の入手方法を判断する情報入手制御手段と、前記番組の提示要求の受け付けと前記番組の提示とを行う情報提示手段を有し、前記情報入手制御手段は、前記情報提示手段の受け付けた提示要求に対応する番組が、前記蓄積手段に蓄積されている場合には、前記番組を前記情報提示手段に出力し、前記情報提示手段の受け付けた提示要求に対応する番組が、前記蓄積手段に蓄積されていない場合には、前記番組送信テーブルを参照し、前記提示要求に対応する番組が、前記番組送信テーブルに記載されている場合には、前記番組の蓄積を予約するようにしたものであり、情報を要求する側において要求する情報が放送系から得られるものであるか蓄積系から得られるものであるかを意識する必要がないという作用を有する。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明の請求項２に記載の発明は、請求項１記載の情報提供装置において、前記情報入手制御手段は、受信手段で受信する信号に含まれる番組のうち、提示を要求された番組に加え、将来において提示を要求されるであろう番組の蓄積を予約するようにしたものであり、必要な情報の入手を自動的に行うことができ、ユーザの手間を省くことができるという作用を有する。
【手続補正６】
【補正対象書類名】明細書
【補正対象項目名】００１６
【補正方法】変更
【補正の内容】
【００１６】
本発明の請求項３に記載の発明は、請求項２記載の情報提供装置において、前記番組に含まれる情報は、受信する番組を選別するために付与されたキーワードを含み、前記情報入手制御手段は、少なくとも前記キーワードについてのユーザの興味度合によって、放送される番組の蓄積の予約を判断するようにしたものであり、確率的にみて必要性の高い情報の選別がされ、その入手を自動的に行うことができ、ユーザの手間を省くことができるという作用を有する。
【手続補正７】
【補正対象書類名】明細書
【補正対象項目名】００１７
【補正方法】変更
【補正の内容】
【００１７】
本発明の請求項４に記載の発明は、請求項２記載の情報提供装置において、前記情報入手制御手段は、少なくとも番組入手に要する時間、番組入手に要する費用、情報のサイズのいずれかにより求められる情報受信のためのコストを考慮して、受信する番組の蓄積の予約を判断するようにしたものであり、情報の価値からみて有用性の高い情報の選別がされ、その入手を自動的に行うことができ、ユーザの手間を省くことができるという作用を有する。
【手続補正８】
【補正対象書類名】明細書
【補正対象項目名】００１８
【補正方法】変更
【補正の内容】
【００１８】
更に、本発明の請求項４に記載の発明は、価格の安い情報の選別がされ、その入手を自動的に行うことができ、ユーザの手間を省くことができるとともにコストダウンが図れるという作用を有する。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
更に、本発明の請求項４に記載の発明は、情報の入手を迅速にことができ、時間の有効利用が図れるという作用を有する。
【手続補正１１】
【補正対象書類名】明細書
【補正対象項目名】００２１
【補正方法】変更
【補正の内容】
【００２１】
本発明の請求項５に記載の発明は、請求項２記載の情報提供装置において、前記情報入手制御手段は、将来において提示を要求されるであろう番組をあらかじめ入手できないと判断した場合には、情報提示手段にその旨出力するようにしたものであり、新たな手段を増設することなしにコンテンツの入手をユーザに提案する機能を実現できるという作用を有する。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５４
【補正方法】変更
【補正の内容】
【００５４】
（実施の形態１）
図１は本発明における情報提供装置の構成の一例を示すブロック図である。図１においては、１０１は、インターネットなどのデータ通信を行う通信網、１０２は通信網１０１と接続してデータ通信を行う通信手段、１０３は通信手段１０２の動作を制御する通信系制御手段、１０４はハードディスクなどの蓄積媒体、１０５はＤＶＤ−ＲＡＭなどの可搬性蓄積媒体、１０６は蓄積媒体１０４、可搬性蓄積媒体１０５へのデータの書き込みとデータの読み出しを行う蓄積手段、１０７は、蓄積手段１０６の動作を制御する蓄積系制御手段、１１１は放送信号を受信するアンテナ、１１０はアンテナ１１１を通して受信した放送信号を復号・分離して必要なデータを取り出す放送受信手段、１０９は、放送受信手段１１０の動作を制御する放送系制御手段、１１２はユーザからの情報の要求に対して情報を提示する情報提示手段、１０８は情報提示手段１１２からの情報要求に対して、通信系制御手段１０３、蓄積系制御手段１０７、放送系制御手段１０９を制御することにより必要な情報を入手して情報提示手段１１２に渡す情報入手制御手段である。
【手続補正４４】
【補正対象書類名】明細書
【補正対象項目名】００８４
【補正方法】変更
【補正の内容】
【００８４】
なお、本実施例において映像と関連する情報および情報の内容を図９（ａ）番組関連情報、図９（ｂ）情報定義、図９（ｃ）情報内容に示す形で保持するとしたが、この形式によらずとも映像の部分と情報との関連および検索対象となる情    報との対応がわかるデータ系式であれば同様の効果が得られる。